(57)【特許請求の範囲】
【請求項１】
太陽電池セルと、
前記太陽電池セルを支持する支持部材と、
熱伝導体であるサーマルリンクと、
を備え、
前記サーマルリンクが前記太陽電池セルの非受光面に接し、かつ、前記サーマルリンクが前記支持部材の太陽電池セル非取付け面である裏面に取り付けられた放熱部材または熱伝導部材に接し、
前記サーマルリンクは、
熱伝導体である内部熱伝導体と、
前記内部熱伝導体を覆う、電気絶縁性および熱絶縁性を有する被覆体と、を備え、
前記被覆体は、該サーマルリンクと前記太陽電池セルとの接触箇所および該サーマルリンクと前記放熱部材または熱伝導部材との接触箇所において前記内部熱伝導体を露出させるための開口である露出部を有する、
太陽電池パネル。
【請求項２】
太陽電池セルと、
前記太陽電池セルを支持する支持部材と、
熱伝導体であるサーマルリンクと、
を備え、
前記サーマルリンクが前記太陽電池セルの非受光面に接し、かつ、前記サーマルリンクが前記支持部材の太陽電池セル非取付け面である裏面に取り付けられた放熱部材または熱伝導部材に接し、
前記サーマルリンクは、可撓性を有する面状の部材であって、
前記支持部材の太陽電池セル取付け面である表面において前記太陽電池セルに面接続される部分と、
屈曲して前記支持部材を貫通する部分と、
貫通して前記支持部材の裏面に出た部分であって前記放熱部材または熱伝導部材に面接続される部分と、を備える、
太陽電池パネル。
【請求項３】
前記サーマルリンクは、略コの字形に屈曲形成され、前記支持部材を貫通し、該支持部材を表面側と裏面側とから挟むように埋め込まれる、
請求項２に記載の太陽電池パネル。
【請求項４】
前記太陽電池セルを複数備え、
前記サーマルリンクは、各太陽電池セルの非受光面に接し、
前記被覆体は、前記サーマルリンクと前記各太陽電池セルとの接触箇所において前記露出部を有する、
請求項１に記載の太陽電池パネル。
【請求項５】
第１の太陽電池パネルおよび第２の太陽電池パネルを筐体に搭載し、該第１の太陽電池パネルおよび該第２の太陽電池パネルから得られた電力を用いる装置であって、
前記第１の太陽電池パネルおよび前記第２の太陽電池パネルは、それぞれ、
太陽電池セルと、
前記太陽電池セルを支持する支持部材と、
熱伝導体であるサーマルリンクと、
を備え、
前記サーマルリンクが前記太陽電池セルの非受光面に接し、かつ、前記サーマルリンクが前記支持部材の太陽電池セル非取付け面である裏面に取り付けられた熱伝導部材に接し、
前記第１の太陽電池パネルが備える前記サーマルリンクは、該装置において、前記第２の太陽電池パネルが備える前記サーマルリンクに接続される、
装置。
【請求項６】
前記第１の太陽電池パネルが備える前記サーマルリンクは、前記第１の太陽電池パネルおよび前記第２の太陽電池パネルにそれぞれ取り付けられた前記熱伝導部材ならびに熱輸送部を介して、前記第２の太陽電池パネルが備える前記サーマルリンクに接続される、
請求項５に記載の装置。
【請求項７】
前記第２の太陽電池パネルは、該装置において、前記第１の太陽電池パネルに対向するパネルである、
請求項５または６に記載の装置。
【請求項８】
太陽電池パネルおよび他のパネルを筐体に搭載し、該太陽電池パネルから得られた電力を用いる装置であって、
前記太陽電池パネルは、
太陽電池セルと、
前記太陽電池セルを支持する支持部材と、
熱伝導体であるサーマルリンクと、
を備え、
前記サーマルリンクが前記太陽電池セルの非受光面に接し、かつ、前記サーマルリンクが前記支持部材の太陽電池セル非取付け面である裏面に取り付けられた熱伝導部材に接し、
前記サーマルリンクは、該装置において、前記他のパネルの外面に設けられた放熱部材に接続される、
装置。
【請求項９】
前記サーマルリンクは、前記熱伝導部材および熱輸送部を介して、前記放熱部材の背面に接続される、
請求項８に記載の装置。
【請求項１０】
前記筐体に搭載される他のパネルは、該装置において、前記太陽電池パネルに対向するパネルである、
請求項８または９に記載の装置。
【請求項１１】
前記太陽電池セルから得られた電力を用いる装置の筐体に、展開可能に取り付けられる太陽電池パネルであって、
前記サーマルリンクは、該サーマルリンクが埋め込まれた前記支持部材の裏面に取り付けられた前記放熱部材に接続される、
請求項１から４の何れか一項に記載の太陽電池パネル。
【請求項１２】
前記支持部材の表面側に取り付けられる電子部品と裏面側に取り付けられる電子部品とを電気接続するフレキシブルＰＣＢ回路を更に備える、
請求項１から４の何れか一項に記載の太陽電池パネル。
【発明の詳細な説明】
【技術分野】
【０００１】
本開示は、太陽電池セルを冷却するための技術に関する。
【背景技術】
【０００２】
従来、太陽光を集光する集光レンズと、集光レンズアレイ構造体と、集光された太陽光を吸収して電気エネルギーに変換する太陽電池と、太陽電池が取り付けられ、太陽電池を平板型ヒートパイプに固定するパッケージモジュールと、平板型ヒートパイプと、平板型ヒートシンクとを含む集光型太陽電池モジュールにおいて、平板型ヒートパイプが、パッケージモジュールから伝導された熱を外部または大気に放出する方法、が提案されている（特許文献１を参照）。【０００３】
また、従来、銅製の平坦な集熱板と、その集熱板の下面に一体的に取り付けて熱媒体である水を流す銅製の集熱管と、その集熱管を集熱板に取り付けるアルミテープと、集熱管及び集熱板の下面側を覆う発泡スチロール製の断熱体と、その断熱体の下面を覆う鋼製の裏板と、その裏板とパネル取付鋼材の間に配置して集熱板を太陽電池パネルの裏面に押さえ付ける押さえ具とで一体的に構成された、太陽電池パネルの裏面の熱を回収して冷却する熱回収装置、が提案されている（特許文献２を参照）。【０００４】
また、従来、赤外線をフィルタリングするための赤外線フィルタリング素子と、前記フィルタリングされた光を集束させる集光装置と、前記集束された光を電気エネルギーに変換する複数の太陽電池を含むソーラーパネルと、断熱用の真空チャンバとを備え、前記真空チャンバ内に前記集光装置が設けられている太陽電池アセンブリにおいて、真空チャンバ本体が、伝導及び対流による周囲から太陽電池への熱伝達を最小にする断熱層として使用され、太陽電池の温度が上昇するのを防止する方法、が提案されている（特許文献３を参照）。【０００５】
さらに、従来、太陽電池パネルおよびエンクロージャを含むパワーパネルアセンブリであって、太陽電池パネルは、複数の太陽電池セルと、複数の太陽電池セルが載置される上面と上面の反対側の底面とを有する太陽電池セルトレイを含み、エンクロージャは、太陽電池パネルを支持する内側プレートと、内側プレートを取り囲む複数の側壁を有する外側シェルとを含み、内側プレートおよび太陽電池パネルは、太陽電池パネルとエンクロージャとの間で流体が流れ、太陽電池パネルから熱を吸収することを可能にする流体流路をその間に含む、パワーパネルアセンブリが提案されている（特許文献４を参照）。
【先行技術文献】
【特許文献】
【０００６】
【特許文献１】韓国特許第１０−１４６５６２８号
【特許文献２】特開２０１３−２１３６５１号公報
【特許文献３】国際公開第２０１８−２１５９６３号
【特許文献４】米国特許出願公開第２０１８／０２３４０５０号
【発明の概要】
【発明が解決しようとする課題】
【０００７】
太陽電池は、太陽光エネルギーを電気エネルギーに変換するエネルギー変換素子であるが、通常、太陽電池出力には温度依存性があり、太陽電池の温度が上がると、太陽電池に入射した光エネルギーのうち電気エネルギーに変換する割合（変換効率）が低下してしまう。また、通常、太陽電池は、動作温度が高くなると、その寿命が短くなってしまう。そのため、太陽電池の変換効率の向上や長寿命化を図るため、太陽電池の温度を低く保つことが重要視されている。ここで、従来、宇宙用の太陽電池パネルでは、太陽電池セルが有する熱を、太陽電池パネルを通じて当該パネル裏面に伝導し、太陽電池パネルに接続されたヒートシンクに排出することで冷却する技術がある。しかし、通常、宇宙用の太陽電池パネルに用いられる複合材料は、異方性の熱伝導率を有するものが多く、熱伝導に適した材料ではないため、このような技術では、太陽電池セルの熱をパネル背面に効率良く（素早く）排出することが困難であり、太陽電池セルを効率良く冷却できないという問題があった。【０００８】
本開示は、上記した問題に鑑み、太陽電池セルを効率良く冷却することを課題とする。
【課題を解決するための手段】
【０００９】
本開示の一例は、太陽電池セルと、前記太陽電池セルを支持する支持部材と、熱伝導体であるサーマルリンクと、を備え、前記サーマルリンクが、前記太陽電池セルの非受光面に接し、かつ、前記支持部材の太陽電池セル非取付け面である裏面に取り付けられた放熱部材または熱伝導部材に接する、太陽電池パネルである。
【発明の効果】
【００１０】
本開示によれば、太陽電池セルを効率良く冷却することが可能となる。
【図面の簡単な説明】
【００１１】
【図１】従来の太陽電池パネルの構成を示す概略図である。
【図２】実施形態に係る太陽電池パネルの構成を示す概略図（断面図）である。
【図３】実施形態に係る太陽電池パネルの構成を示す概略図（正面図）である。
【図４】実施形態に係る太陽電池パネルの構成を示す概略図（背面図）である。
【図５】実施形態に係るサーマルリンクの構成を示す概略図（正面図）である。
【図６】実施形態に係るサーマルリンクの構成を示す概略図（背面図）である。
【図７】実施形態に係るサーマルリンクの構成を示す概略図（分解図）である。
【図８】実施形態に係る太陽電池パネルの実施例１を示す概略図である。
【図９】実施形態に係る太陽電池パネルの実施例２を示す概略図である。
【図１０】実施形態に係る太陽電池パネルの実施例３を示す概略図である。
【図１１】実施形態に係る太陽電池パネルの実施例３を示す概略図（正面図）である。
【図１２】実施形態に係る太陽電池パネルの実施例３を示す概略図（背面図）である。
【発明を実施するための形態】
【００１２】
以下、本開示に係る太陽電池パネルの実施の形態を、図面に基づいて説明する。但し、以下に説明する実施の形態は、実施形態を例示するものであって、本開示に係る太陽電池パネルを以下に説明する具体的構成に限定するものではない。実施にあたっては、実施の態様に応じた具体的構成が適宜採用され、また、種々の改良や変形が行われてよい。
【００１３】
図１は、従来の太陽電池パネルの構成を示す概略図である。従来の太陽電池パネル１０は、カバーガラス１、インターコネクタ２、支持部材３および太陽電池セル４（４ａ〜４ｄ）等により構成される。図１に示される通り、太陽電池セル４は、太陽電池セル４で発生した電力を集める導体であるインターコネクタ２によって相互接続され、カバーガラス１に覆われた状態で、支持部材３に取り付けられる。
【００１４】
図２から図４は、本実施形態に係る太陽電池パネル２００の構成を示す概略図である。ここで、図２は太陽電池パネル２００の断面を、図３は正面を、図４は背面を示す。本実施形態では、太陽電池パネル２００として、宇宙で用いられる太陽電池パネルを例示するが、本開示に係る太陽電池パネルの用途はこれに限定されるものではなく、本開示に係る太陽電池パネルは、宇宙以外の場所（地上等）で用いられる様々な装置に搭載可能である。太陽電池パネル２００は、支持部材２０４、太陽電池セル２０２（２０２ａ〜２０２ｃ）、カバーガラス２０３（２０３ａ〜２０３ｃ）、サーマルリンク２１５、フレキシブルＰＣＢ（Ｐｒｉｎｔｅｄ  Ｃｉｒｃｕｉｔ  Ｂｏａｒｄ、プリント基板）回路２２０（２２０ａ、２２０ｂ）等を備えるパネルである。
【００１５】
太陽電池セル２０２は、太陽光エネルギーを電気エネルギーに変換するエネルギー変換素子であり、単結晶シリコン、多結晶シリコン、薄膜シリコン（アモルファスシリコン）等のシリコン系太陽電池や、ＣＩＳやＣＩＧＳ等の化合物系太陽電池等に例示される。
【００１６】
支持部材２０４は、太陽電池セル２０２を物理的に支持する部材であり、ハニカムコア２３０およびハニカムコア２３０の両側表面を覆う表皮２１０（２１０ａ、２１０ｂ）から構成される、サンドイッチ構造を有するパネルである。ハニカムコア２３０は、アルミニウムや、ノーメックス（Ｎｏｍｅｘ、登録商標）等のアラミド繊維等により形成されるようにしてもよい。また、表皮２１０は、炭素繊維、ガラス繊維、ケブラー（Ｋｅｖｌａｒ、登録商標）等の（パラ系）アラミド繊維、ガラスエポキシ（ＦＲ−４、Ｆｌａｍｅ  Ｒｅｔａｒｄａｎｔ  Ｔｙｐｅ  ４）等により形成されるようにしてもよい。なお、支持部材２０４は、上述のサンドイッチ構造を有するパネルに限定されるものではなく、ハニカムコア２３０を使用しない支持部材であってもよい。
【００１７】
カバーガラス２０３は、太陽電池セル２０２の物理的支持、機構的保護および放射線防護を行うものである。赤外線を除去する機能を追加することで熱制御の機能を持つこともでき、太陽電池セル毎に接着剤等により取り付けられる。なお、配列された複数の太陽電池セル２０２に対して、１枚のカバーガラス２０３が取り付けられるようにしてもよい。そして、このカバーガラス２０３により覆われた太陽電池セル２０２は、支持部材２０４の表面に取り付けられる（貼り付けられる）。但し、実施の形態によっては、カバーガラスは省略されてもよい。
【００１８】
フレキシブルＰＣＢ回路２２０は、使用目的によって支持部材２０４の表面（受光面）側に取り付けられる電子部品（太陽電池セル２０２等）と裏面（非受光面）側に取り付けられる電子部品とを電気接続する回路であり、例えば、支持部材２０４に埋め込まれる形で取り付けられる。フレキシブルＰＣＢ回路２２０は、太陽電池セル２０２を電気的に接続し、当該太陽電池セル２０２で発生した電力を集める導体であるインターコネクタ２５１（２５１ａ〜２５１ｅ）を備える。但し、実施の形態によっては、フレキシブルＰＣＢ回路は省略されてもよい。
【００１９】
サーマルリンク２１５は、支持部材２０４に取り付けられた熱伝導体である。サーマルリンク２１５は、太陽電池セル２０２の非受光面である裏面と接触（接続）し、かつ、支持部材２０４の太陽電池セル非取付け面である裏面に取り付けられる熱伝導部材や放熱部材等と接触（接続）することで、太陽電池セル２０２の熱を吸収し他の部材に排熱する。本実施形態では、図２から図４に示される通り、１つの太陽電池パネル２００に１つのサーマルリンク２１５が取り付けられるが、これに限定されるものではなく、１つの太陽電池パネル２００に複数のサーマルリンク２１５が取り付けられてもよい。また、図２から図４において、サーマルリンク２１５は支持部材２０４に埋め込まれているが、埋め込み型に限定されるものではなく、支持部材２０４の端部等に取り付けられてもよい。
【００２０】
熱伝導部材は、太陽電池セル２０２からの熱を吸収し他の機器（部材）に伝導する際に、その熱を仲介するための部材であり、アルミニウムや銅、グラフェン等により形成されるサーマルポート等に例示される。放熱部材は、太陽電池セル２０２からの熱を吸収し外部空間に熱放射する部材であり、宇宙機外部に露出し宇宙空間に熱を放射させるラジエータ等に例示される。本実施形態では、サーマルリンク２１５はサーマルポート２４０と接触しており、当該サーマルポート２４０は、例えば、支持部材２０４の裏面にボルト締め等により取り付けられる。
【００２１】
図５から図７は、実施形態に係るサーマルリンク２１５の構成を示す概略図である。ここで、図５はサーマルリンク２１５を斜め正面から見た様子を、図６は斜め背面から見た様子を、図７は分解された様子を示す。サーマルリンク２１５は、内部熱伝導体２０６および内部熱伝導体２０６の両側表面を覆う被覆材２０５（２０５ａ、２０５ｂ）から構成される。
【００２２】
内部熱伝導体２０６は、可撓性を有する面状の熱伝導体である。内部熱伝導体２０６は、グラフェンや熱分解グラファイト等により形成されるようにしてもよい。被覆材２０５は、電気絶縁性および熱絶縁性を有する基材である。被覆材２０５は、カプトン等のポリイミドフィルム等により形成されるようにしてもよい。内部熱伝導体２０６は、その両側表面が被覆材２０５により覆われているが、図２から図６に示される通り、被覆材２０５は、太陽電池セル２０２の裏面および熱伝導部材や放熱部材との接触箇所において、内部熱伝導体を露出させるための開口である露出部（内部熱伝導体接触部／接触領域）２０１（２０１ａ〜２０１ｄ）を有している。被覆材２０５が露出部２０１を有することにより、内部熱伝導体２０６が太陽電池セル２０２の裏面および熱伝導部材や放熱部材と直接接触することが可能である。図２から図７では、露出部２０１ａ〜２０１ｃにおいて、内部熱伝導体２０６が太陽電池セル２０２の裏面と接し、露出部２０１ｄにおいて、内部熱伝導体２０６が熱伝導部材や放熱部材と接する。なお、露出部２０１の数は適宜決定されるようにしてよく、例えば、サーマルリンク２１５と接触する太陽電池セル２０２が複数ある場合は、太陽電池セル２０２毎に当該露出部２０１が被覆材２０５に設けられるようにしてもよい。
【００２３】
サーマルリンク２１５は、帯状（面状）の熱伝導体であり、例えば、一方の端部の面が支持部材２０４の表面に沿い、長手方向の途中で略９０度に屈曲し支持部材２０４を貫通し、支持部材２０４を貫通した箇所で更に略９０度に屈曲し、他方の端部の面が支持部材２０４の裏面に沿う形状である。図５から図７に示されるように、本実施形態におけるサーマルリンク２１５は、可撓性を有することによる、略コの字形（Ｕ−ｓｈａｐｅ）に屈曲形成された熱伝導体であるが、これに限定されるものではなく、略エの字形等に形成された熱伝導体であってもよい。本実施形態において、サーマルリンク２１５は、支持部材２０４を貫通し、支持部材２０４を表面側と裏面側とから挟むように埋め込まれる。なお、サーマルリンク２１５の露出部２０１における内部熱伝導体２０６と太陽電池セル２０２および熱伝導部材や放熱部材との接触箇所には、電気絶縁性を有する熱伝導性ギャップ充填材（ギャップフィラー）が充填されるようにしてもよく、当該ギャップフィラーにより、熱伝導性をさらに高めることができる。
【００２４】
上述のとおり、太陽電池セル２０２が内部熱伝導体２０６と接触することで、太陽電池セル２０２の有する熱を内部熱伝導体２０６に直接排熱することができ、熱伝導部材や放熱部材が内部熱伝導体２０６と接触することで、内部熱伝導体２０６に排熱された太陽電池セル２０２の熱を熱伝導部材や放熱部材へ伝導することができる。換言すれば、太陽電池セル２０２を、サーマルリンク２１５の露出部２０１において、物理的に排熱（熱伝導）を妨害する機器等を介することなく、内部熱伝導体２０６と直接接触させたことにより、排熱を効率良く素早く行うことができる。このようにして、太陽電池セル２０２の冷却を効率良く行うことができるため、太陽電池セル２０２の変換効率等の性能を大幅に改善することができる。
【００２５】
なお、宇宙空間では、放射線強度が高く、また、真空であることから空気の対流がないため、地上に比べて太陽電池セルがより高温になりやすい。そのため、宇宙空間で使用される太陽電池セルにとって、太陽電池セルの排熱を行うこと（冷却を行うこと）はさらに重要な問題であり、本発明に係るサーマルリンク２１５による冷却効果がより期待される。
【００２６】
（太陽電池パネルの実施例１）
図８は、太陽電池パネルの実施例１を示す概略図である。実施例１では、サーマルリンク２１５（図２を参照）が取り付けられた太陽電池パネル２００は、宇宙機筐体に太陽電池セル２０２を貼り付ける方式の宇宙機（人工衛星）４００に搭載される（宇宙機筐体を構成する）。なお、実施例１〜３では、宇宙機として人工衛星を例示するが、これに限定されるものではなく、惑星探査機や国際宇宙ステーション等のように太陽電池パネル２００が搭載された他の宇宙機であってもよい。
【００２７】
本実施例では、人工衛星筐体を構成する太陽電池パネル２００ａ（第１の太陽電池パネル）に貼り付けられた太陽電池セル２０２（２０２ｄ、２０２ｅ）に接続されたサーマルリンク２１５が、当該人工衛星筐体を構成する他の太陽電池パネル２００ｂ（第２の太陽電池パネル）に貼り付けられた太陽電池セル２０２に接続された他のサーマルリンク２１５に接続される。具体的には、本実施形態における人工衛星において、太陽電池パネル２００（支持部材２０４）の裏面にはサーマルポート２４０が取り付けられており、サーマルリンク２１５は露出部２０１（図２を参照）において、当該サーマルポート２４０と接触する。そして、太陽電池パネル２００ａにおけるサーマルポート２４０と、他の太陽電池パネル２００ｂにおけるサーマルポート２４０とが、熱輸送部４０１を介して熱接続される。熱輸送部４０１は、当該人工衛星において、太陽電池パネル２００ａに貼り付けられた太陽電池セル２０２と他の太陽電池パネル２００ｂに貼り付けられた太陽電池セル２０２とを熱接続し排熱を行う熱輸送素子であり、サーマルストラップやヒートパイプに例示される。以上より、サーマルリンク２１５は、両パネルのサーマルポート２４０および熱輸送部４０１を介して、他のサーマルリンク２１５に接続される。
【００２８】
本実施形態における上記構成により、例えば、受光している太陽電池セル２０２に接続されたサーマルリンク２１５が、受光していない太陽電池セル２０２に接続された他のサーマルリンク２１５に接続される。これにより、受光している太陽電池セル２０２が高温になった場合、当該太陽電池セル２０２が有する熱を、受光側のサーマルリンク２１５および非受光側のサーマルリンク２１５を介して、受光していない太陽電池セル２０２側へ排熱する（４９１）ことが可能となる。ここで、人工衛星筐体を構成する他の太陽電池パネル２００ｂ（第２の太陽電池パネル）は、例えば、当該人工衛星において、太陽電池パネル２００ａ（第１の太陽電池パネル）に対向するパネルである。
【００２９】
（太陽電池パネルの実施例２）
図９は、太陽電池パネルの実施例２を示す概略図である。実施例２では、サーマルリンク２１５が取り付けられた太陽電池パネル２００は、宇宙機筐体に太陽電池セル２０２を貼り付ける方式の人工衛星５００に搭載される（宇宙機筐体を構成する）。
【００３０】
本実施例では、人工衛星筐体を構成する太陽電池パネル２００に貼り付けられた太陽電池セル２０２に接続されたサーマルリンク２１５が、当該人工衛星筐体を構成する他のパネル５０１の外面に設けられたラジエータ５０２の背面に接続される。具体的には、本実施形態における人工衛星において、太陽電池パネル２００（支持部材２０４）の裏面にはサーマルポート２４０が取り付けられており、サーマルリンク２１５は露出部２０１において、当該サーマルポート２４０と接触する。そして、太陽電池パネル２００におけるサーマルポート２１５と、他のパネル５０１に設けられたラジエータ５０２の背面とが、熱輸送部５０３を介して熱接続される。以上より、サーマルリンク２１５は、サーマルポート２４０および熱輸送部５０３を介して、ラジエータ５０２に接続される。なお、熱輸送部５０３については、実施例１の熱輸送部４０１と同様である。
【００３１】
本実施形態における上記構成により、例えば、受光している太陽電池セル２０２に接続されたサーマルリンク２１５が、人工衛星筐体を構成する受光していない他のパネル５０１の外面に設けられたラジエータ５０２（の背面）に接続される。これにより、受光している太陽電池セル２０２が高温になった場合、当該太陽電池セル２０２が有する熱を、サーマルリンク２１５を介して、受光していないラジエータ５０２へ排熱する（５９１）ことが可能となる。ここで、ラジエータ５０２が設けられた、人工衛星筐体を構成する他のパネル５０１は、例えば、当該人工衛星において、太陽電池セル２０２が貼り付けられた太陽電池パネル２００に対向するパネルである。
【００３２】
（太陽電池パネルの実施例３）
図１０から図１２は、太陽電池パネルの実施例３を示す概略図である。ここで、図１１は、実施例３に係る太陽電池パネルの正面図であり、図１２は背面図である。実施例３では、サーマルリンク２１５が取り付けられた太陽電池パネル２００は、宇宙機筐体に太陽電池パネルを展開可能に取り付ける方式の人工衛星６００に搭載される。
【００３３】
本実施例では、人工衛星筐体に展開可能に取り付けられた太陽電池パネル２００に貼り付けられた太陽電池セル２０２に接続されたサーマルリンク２１５が、露出部２０１ｅ、２０１ｆにおいて、当該サーマルリンク２１５が取り付けられた支持部材２０４の裏面（太陽電池セル非取付け面）に取り付けられたラジエータ６０１の背面に接続される。具体的には、本実施形態における人工衛星において、太陽電池パネル２００の裏面には接着等によりラジエータ６０１が取り付けられており、サーマルリンク２１５は直接、当該ラジエータ６０１の裏面と接触する。
【００３４】
本実施形態における上記構成により、例えば、受光している太陽電池セル２０２に接続されたサーマルリンク２１５が、太陽電池パネル２００の受光していない裏面に設けられたラジエータ６０１（の背面）に接続される。これにより、受光している太陽電池セル２０２が高温になった場合、当該太陽電池セル２０２（図２を参照）が有する熱を、サーマルリンク２１５を介して、受光していないラジエータ６０１へ排熱することが可能となる。
【００３５】
なお、人工衛星筐体を構成する太陽電池パネルおよび人工衛星筐体に展開可能に取り付けられる太陽電池パネルの両者のパネルを搭載する人工衛星の場合は、実施例１〜３を組み合わせた構成にしてもよい。
【符号の説明】
【００３６】
２００  太陽電池パネル
２０４  支持部材
２０２  太陽電池セル
２１５  サーマルリンク
【要約】
太陽電池セルを効率良く冷却することを課題とし、太陽電池パネル２００に、太陽電池セル２０２と、太陽電池セル２０２を支持する支持部材２０４と、熱伝導体であるサーマルリンク２１５と、を備え、サーマルリンク２１５が、太陽電池セル２０２の非受光面に接し、かつ、支持部材２０４の太陽電池セル非取付け面である裏面に取り付けられた放熱部材または熱伝導部材に接するようにした。【図１】
0006601933.tif 000002
【図２】
0006601933.tif 000003
【図３】
0006601933.tif 000004
【図４】
0006601933.tif 000005
【図５】
0006601933.tif 000006
【図６】
0006601933.tif 000007
【図７】
0006601933.tif 000008
【図８】
0006601933.tif 000009
【図９】
0006601933.tif 000010
【図１０】
0006601933.tif 000011
【図１１】
0006601933.tif 000012
【図１２】
0006601933.tif 000013